【手続補正書】
【提出日】平成19年10月24日(2007.10.24)
【手続補正１】
【補正対象書類名】明細書
【補正対象項目名】全文
【補正方法】変更
【補正の内容】
【書類名】  明細書
【発明の名称】  電気掃除機用吸込具及びそれを用いた電気掃除機
【特許請求の範囲】
【請求項１】  下方開口の吸込室と、前記吸込室内に回転自在に配設された回転ブラシを備え、前記回転ブラシは略棒状の基材と、前記基材の表面に向かって開口して設けられた、長手方向に螺旋状またはＶ字状に延びる複数の溝部と、前記溝部に挿入された清掃部材からなり、前記略棒状の基材の隣り合う溝部と溝部の間に、前記溝部に沿うように基材の長手方向に延び、前記基材の周面より外周方向に突出する凸部を設け、前記凸部の端部を前記略棒状の基材の端部に設ける軸受部材に挿入した電気掃除機用吸込具。
【請求項２】  凸部の端部に軸受部材の凹部を圧入にて嵌合した請求項１に記載の電気掃除機用吸込具。
【請求項３】  電動送風機を配した電気掃除機本体に、請求項１または２に記載の電気掃除機用吸込具を連通するよう接続される接続口を備えた電気掃除機。
【発明の詳細な説明】
【０００１】
【発明の属する技術分野】
本発明は、集塵性能の向上および軽快な操作感を得ることを図った電気掃除機用吸込具及び電気掃除機に関するものである。
【０００２】
【従来の技術】
従来、特開平６−２８４９９３号公報にあるような電気掃除機用吸込具があり、これを図１５〜図１７を用いて説明する。
【０００３】
１は吸込具本体で、その略中央には、上部材２と下部材（図示せず）に回動自在に狭持されているアーム３が有り、アーム３には電気掃除機（図示せず）に接続されるパイプ（図示せず）が回転自在に設けられている。アーム３からパイプ（図示せず）には一連の連通孔があり、この連通孔を塵埃が通過して電気掃除機（図示せず）に集塵される。
【０００４】
吸込具本体１の前方には、下方開口の塵埃を吸引する入り口である吸込室（図示せず）があり、吸込室（図示せず）内部には被掃除面上に存在する塵埃をかき上げる回転ブラシ４が回転自在に設けられている。また、吸込室（図示せず）と前記アーム３およびパイプ（図示せず）は連通している。
【０００５】
また、吸込具本体１の後方には、アーム３により左右に分断された部屋状の空間が設けられ、その一方に回転ブラシ４を回転させるため駆動装置である電動機５が設けられている。
【０００６】
電動機５によって回転駆動される回転ブラシ４は、図１６、１７に示されるように回転ブラシ４の回転軸中心部を構成する棒状の基材６と、前記基材６の外周に螺旋状に設けられた溝７を備えている。前記溝７は、基材６の外周面に向かって開口してある。被掃除面上の塵埃を収集するブレード８の一方端面には、溝７に嵌合挿入される。
【０００７】
基材６の一方の端部には、電動機５の回転駆動をベルトを介して伝達するためのギア部１０ｂが設けられたプーリー台１０が圧入固定され、基材６の他端部には軸受けが圧入固定されている。プーリー台１０の外側端部には、吸込具本体１に固定する固定部１０ａが設けられ、同じく軸受９の外側端部にも吸込具本体１へ固定する固定部９ａが設けられ、基材６の両端部を吸込具本体１で支持するようにしている。そして、基材６を回転自在に吸込具本体１に支持するために軸受９およびプーリー台（軸受構造を有する）１０を基材６の両端部に設けている。
【０００８】
【発明が解決しようとする課題】
しかしながら上記従来の電気掃除機用吸込具にあっては、回転ブラシ４の基材６の一端部とプーリー台１０、また基材６の他端部と軸受９とがラジアル方向の回転力により空回りしないように、プーリー台１０、軸受９のそれぞれの内部に凸部１１を設け（図１７参照）、前記凸部１１と基材６に設けた溝７を嵌合挿入して保持している。そして、プーリー台１０および軸受９は固定部１０ａおよび固定部９ａに対して回転自在であるので、基材６は吸込具本体に対して回転自在に支持されることとなる。
【０００９】
しかし上記従来構成では、挿入溝７が、ブレード８を基材６へ挿入する溝とプーリー台１０および軸受９の回り止めを共用しているため、プーリー台１０と軸受９の上記挿入溝７への圧入代が少なくなり、スラスト方向の抜け力が減少するという不具合があった。また、帯状の布製もしくはゴム製のブレ−ド８に代えて、毛ブラシを挿入溝７に挿入する場合、髪の毛が毛ブラシに絡まって巻締まりを起こす危険があった。
【００１０】
本発明は、以上のような従来の問題を解決しようとするものであって、軸受の固定を確実とし、且つ、回転ブラシのメンテナンス性が良好な電気掃除機用吸込具および電気掃除機を提供することを目的としている。
【００１１】
【課題を解決するための手段】
上記問題を解決するために本発明は、下方開口の吸込室と、前記吸込室内に回転自在に配設された回転ブラシを備え、前記回転ブラシは略棒状の基材と、前記基材の表面に向かって開口して設けられた、長手方向に螺旋状またはＶ字状に延びる複数の溝部と、前記溝部に挿入された清掃部材からなり、前記略棒状の基材の隣り合う溝部と溝部の間に、前記溝部に沿うように基材の長手方向に延び、前記基材の周面より外周方向に突出する凸部を設け、前記凸部の端部を前記略棒状の基材の端部に設ける軸受部材に挿入したもので、回転ブラシと軸受部材のラジアル方向の回り止めを確実に行なうことが出来る。また髪の毛が回転ブラシに絡まった場合でも基材に設けた凸部に沿ってハサミを入れることができメンテナンス性が良好となる。
【００１２】
【発明の実施の形態】
本発明の請求項１記載の発明は、下方開口の吸込室と、前記吸込室内に回転自在に配設された回転ブラシを備え、前記回転ブラシは略棒状の基材と、前記基材の表面に向かって開口して設けられた、長手方向に螺旋状またはＶ字状に延びる複数の溝部と、前記溝部に挿入された清掃部材からなり、前記略棒状の基材の隣り合う溝部と溝部の間に、前記溝部に沿うように基材の長手方向に延び、前記基材の周面より外周方向に突出する凸部を設け、前記凸部の端部を前記略棒状の基材の端部に設ける軸受部材に挿入したもので、回転ブラシの基材と軸受部材のラジアル方向の回り止めを確実に行なうことができるとともに、たとえ髪の毛等が絡まった場合においても、基材に設けた凸部に沿ってハサミを入れることができ容易に髪の毛を切って除去することができる。
【００１３】
本発明の請求項２記載の発明は、凸部の端部に軸受部材の凹部を圧入にて嵌合したもので、回転ブラシの基材の外周部に法線方向に凸部を形成し、その端部に軸受部材の凹部を圧入にて嵌合したので、基材と軸受部材の保持が確実に行える。これにより回転ブラシのスラスト方向の抜け止めが確実に行えるものである。
【００１４】
本発明の請求項３記載の発明は、電動送風機を配した電気掃除機本体に、請求項１または２に記載の電気掃除機用吸込具を連通するよう接続される接続口を備えた電気掃除機で、回転ブラシのメンテナンス性が良好な電気掃除機を提供できるものである。
【００１５】
【実施例】
（実施例１）
以下、本発明の第１の実施例を、図１〜図６を用いて説明する。
【００１６】
図１において、２１は掃除機本体で、前方に集塵袋（図示せず）を有する集塵室２２と、後方に電動送風機２３を配する電動機室（図示せず）を有し、ホ−ス２４の一端側の接続パイプ２５を掃除機本体２１の前面に設けた接続口２５ａに接続している。ホース２４の他端側にはパイプ２６が接続され、パイプ２６が電気掃除機用吸込具である床用吸い込み具２７に接続され、掃除機本体２１の集塵室２２から床用吸い込み具までが連通している。
【００１７】
図２に示すように、床用吸い込み具２７の前方には、下方を開口し、塵埃を吸引するための吸込室２８が設けられ、吸込室２８内部には被掃除面上に存在する塵埃を収集する目的の回転ブラシ２９が回転自在に設けられている。また、床用吸い込み具２７の後方中央部には管状のアーム３０が回転自在に設けられ、アーム３０の前方に位置する吸込室２８とアーム３０の後方に取りつけるパイプ２６とは連通している。
【００１８】
また、床用吸い込み具２７の後方には、アーム３０を境に左右に分割された部屋を設け、その一方の部屋を、回転ブラシ２９を回転させるため駆動装置である電動機３１が配された駆動室３２としている。また、他方の部屋を、電動機３１を制御するための制御回路３３が配された制御室３４としている。また、電動機３１の駆動力をベルト３７により伝達して回転ブラシ２９を回転駆動させている。
【００１９】
電動機３１によって回転駆動される回転ブラシ２９において、回転ブラシ２９の回転中心軸として略棒状の基材３５がある。基材３５の表面には、図３に示すように、基材３５の表面に向かって開口し、長手方向に延びる溝部３６が複数設けられ、基材３５に設けた溝部３６は螺旋状またはＶ字状に形成されている。特に、基材３５を金属製とした場合には、基材３５を軸回転方向に捻ることにより、溝部３６を螺旋状またはＶ字状に形成することができる。
【００２０】
また、図５に示すように、フロアー上などで拭き機能の役割を持つ長い毛ブラシ等で構成される清掃部材３７ａと、じゅうたんパイル上から塵埃を剥離させる機能の役割を持つ毛ブラシ等で構成される清掃部材３７ｂ（もしくはゴム製または合成樹脂製または布製の帯状のブレードでも可）とが、基材３５に設けた複数の溝部３６に交互もしくは並べて挿入してある。
【００２１】
基材３５の一方の端部には、図２に示すように、ベルト３７を介して電動機３１の回転駆動を伝達するためのギアが設けられた台座である軸受部材のプーリー台３８が圧入固定されている。また、プーリー台３８の他端部には、回転ブラシ２９が自在に回転できるように軸支する軸受部材の軸受３９が設けられている。
【００２２】
図３、５、６に示すように、基材３５にはその周面より外周方向に突出する凸部４０が設けられ、基材３５のプーリー台３８や軸受３９に設けられた凹部４１に対応すべく設けられている。当然のことながら、プーリー台３８や軸受３９が基材３５の両端部の外周面を覆うように圧入固定されるのであるから、プーリー台３８や軸受３９の端部側には筒状の固定部Ａが形成され、その固定部Ａの内周面に凸部４０が嵌合する凹部４１が形成されることになる。
【００２３】
上記構成による作用は以下の通りである。つまり、回転ブラシ２９の基材３５とプーリー台３８及び軸受３９がラジアル方向で空回りしないよう基材３５の凸部４０とプーリー台３８や軸受３９に設けられた凹部４１とが嵌合して支えている。
【００２４】
また、髪の毛が回転ブラシ２８に絡まった場合、集塵性能は低下するが、この場合でも基材３５の凸部４０が溝３６に沿うように長手方向に延びているので、凸部４０に沿わせてハサミを入れ髪の毛等のゴミを切断して除去することが容易にできる。これにより回転ブラシ２９のメンテナンス性の向上が図れるものである。
【００２５】
なお、圧入固定するための機能を発揮するためであれば、凸部４０を基材３５の両端部のみに形成するようにしてもよく、また、両端部のみに凸部４０を形成する場合であっても、その凸部４０にある程度の長さ、すなわち、ハサミの先端を挿入し易くする程度の長さがあれば、凸部４０に沿わせてハサミを入れ髪の毛等のゴミを切断して除去することもできる。
【００２６】
（実施例２）
次に本発明の第２の実施例を図７を用いて説明する。なお上記第１の実施例と同一構成部品については同一符号を付して、その説明を省略する。
【００２７】
回転ブラシ２９の基材３５に複数の凸部４０を設けるとともに、プーリー台３８及び軸受３９にもそれに対応した凹部４１を設けて嵌合させることにより、一層回転ブラシ２８のラジアル方向の回り止めが確実になるものである。
【００２８】
（実施例３）
次に本発明の第３の実施例を図８、９を用いて説明する。なお上記第１または第２の実施例と同一構成部品については同一符号を付して、その説明を省略する。
【００２９】
回転ブラシ２９の基材３５に設ける凸部４２を溝部３６の近傍に位置させて形成する。これにより毛ブラシ等の清掃部材３７ａのバックアップとなる。フローリング上では清掃部材３７ａは緩く床面に当たるため凸部４２の効果は少なく、必要以上に強く当たって床面を傷つけることがない。一方じゅうたん上では清掃部材３７ａは強くじゅうたんの表面に当たるために清掃部材３７ａのたわみ量が多くなりじゅうたんに絡まった髪の毛等を取り除く効果が薄れる。しかし凸部４２により清掃部材３７ａのたわみ量が少なくなり、掻きだし効果が増大するためゴミをしっかり取ることができ、集塵性能の向上が図れる。
【００３０】
（実施例４）
次に本発明の第４の実施例を図１０を用いて説明する。なお上記第１〜３の実施例と同一構成部品については同一符号を付して、その説明を省略する。
【００３１】
回転ブラシ２９の基材３５に設ける凸部４３を溝部３６の近傍に位置させて形成する。このとき凸部４３の外周面（上面）の中央部に凹部４４を設ける。実施例３で説明したように毛ブラシのバックアップ効果は同様であり、さらに髪の毛等が回転ブラシ２８に絡まった場合でもハサミをこの凹部４３に沿って移動させて切断することにより容易に除去できる。従ってこれによりメンテナンス性の向上が図れるものである。
【００３２】
（実施例５）
次に本発明の第５の実施例を図１１を用いて説明する。なお上記第１〜４の実施例と同一構成部品については同一符号を付して、その説明を省略する。
【００３３】
回転ブラシ２９の基材３５に設ける凸部４０をプーリー台３８、軸受３９に設けた凹部４１と圧入にて保持する。これにより回転ブラシ２８の基材３５と軸受３９との保持の表面積が多くなり保持力が向上する。従って回転ブラシ２９の基材３５と軸受３９と回転時のスラスト方向の抜け力が向上し、安定した回転を維持することができる。
【００３４】
（実施例６）
次に本発明の第６の実施例を図１２を用いて説明する。なお上記第１〜５の実施例と同一構成部品については同一符号を付して、その説明を省略する。
【００３５】
回転ブラシ２９の基材３５に設ける凸部４０をプーリー台３８、軸受３９に設けた凹部４１と隙間を設けて保持する。これにより回転ブラシ２８の基材３５をプーリー台３８及び軸受３９に固定するとき容易に挿入することができ組立性が向上する。ラジアル方向にはたとえ回転ブラシ２８の基材３５が空回りした時もこの凸部４０により確実に止めることができ不具合は生じない。
【００３６】
（実施例７）
次に本発明の第７の実施例を図１３を用いて説明する。なお上記第１〜６の実施例と同一構成部品については同一符号を付して、その説明を省略する。
【００３７】
回転ブラシ２９の基材３５に設ける凸部４３を基材３５の中央部近傍に位置させて形成する。これにより中央部の毛ブラシ３７ａ、３７ｂの腰をその部分のみ強くでき、同じ清掃部材を用いても部分的にブラシの当たり強さを強くできるものである。
【００３８】
（実施例８）
次に本発明の第８の実施例を図１４を用いて説明する。なお上記第１〜７の実施例と同一構成部品については同一符号を付して、その説明を省略する。
【００３９】
回転ブラシ２９の基材３５に設ける凸部４３に切欠き４５を設ける。これにより毛ブラシ等で構成される清掃部材３７ａ、３７ｂのブラシの強度を部分的に強弱を付けることができる。じゅうたん上で使用する場合、切欠き４５のない部分はじゅうたん内部に深く入り込み、そうでない部分は浅く入るため、間欠の毛ブラシや植毛した毛ブラシ等の清掃部材を用いた場合と同様の効果が得られじゅうたん上のゴミ取れ性が向上する。
【００４０】
（実施例９）
次に本発明の第９の実施例を説明する。なお上記第１〜８の実施例と同一構成部品については同一符号を付して、その説明を省略する。
【００４１】
回転ブラシ２９の基材３５を金属にて形成する。アルミ等の押し出し成形で基材３５を成形した場合は凸部４３の断面はどこをとっても同一の形状が得られ、プーリー台３８、軸受３９に圧入するときの信頼性が向上し、安定した保持力が得られる。
【００４２】
（実施例１０）
次に本発明の第１０の実施例を説明する。なお上記第１〜９の実施例と同一構成部品については同一符号を付して、その説明を省略する。
【００４３】
回転ブラシ２９の基材３５を樹脂（ポリプロピレン、ＡＢＳ、ナイロン等に加え剛性、曲げ弾性を強化した長繊維入りの樹脂、エンジニアリングプラスチック等）にて形成する。樹脂のインジェクション成形で基材３５を成形した場合は凸部４３の断面形状を任意の形状に成形できるため必要に応じて複雑な形状も成形できるものである。
【００４４】
（実施例１１）
次に本発明の第１１の実施例を説明する。なお上記第１〜９の実施例と同一構成部品については同一符号を付して、その説明を省略する。
【００４５】
本発明の実施例１〜１０に示す回転ブラシを用いた床用吸い込み具２７を用いることにより、安定した回転ブラシ性能及び高集塵性能を得ることができるものである。
【００４６】
【発明の効果】
本発明によれば、集塵性能が高く、掃除作業が効率的に行えて、且つ、回転ブラシのメンテナンス性が良好な電気掃除機用吸込具および電気掃除機を提供できる。
【図面の簡単な説明】
【図１】
本発明の第１の実施例を示す電気掃除機の全体構成図
【図２】
同電気掃除機用吸込具の上面図
【図３】
同電気掃除機用吸込具の基材の断面図
【図４】
同回転ブラシの斜視図
【図５】
同基材に清掃部材を挿入したときの断面図
【図６】
同基材と軸受の斜視図
【図７】
本発明の第２の実施例を示す電気掃除機用吸込具の基材の断面図
【図８】
本発明の第３の実施例を示す電気掃除機用吸込具の基材の断面図
【図９】
同基材に清掃部材を挿入したときの断面図
【図１０】
本発明の第４の実施例を示す電気掃除機用吸込具の基材の断面図
【図１１】
本発明の第５の実施例を示す電気掃除機用吸込具の基材と軸受の組立断面図
【図１２】
本発明の第６の実施例を示す電気掃除機用吸込具の基材と軸受の組立断面図
【図１３】
本発明の第７の実施例を示す回転ブラシの斜視図
【図１４】
本発明の第８の実施例を示す回転ブラシの斜視図
【図１５】
従来の電気掃除機用吸込具の上面図
【図１６】
同電気掃除機用吸込具の回転ブラシの斜視図
【図１７】
同電気掃除機用吸込具の回転ブラシの基材と軸受の斜視図
【符号の説明】
２８  吸込室
２９  回転ブラシ
２７ａ、２７ｂ  清掃部材
３５  基材
３６  溝部
４０  凸部
４１  凹部